(57)【特許請求の範囲】
【請求項１】
開口を有し内部に弁体が組み込まれているガスコックのボディと、前記開口からボディ内に差し込まれて前記弁体を動作させるガスコックの操作軸と、前記ボディに取り付けられるとともに前記操作軸を軸方向に往復動可能でかつ軸回りに回動可能に保持する操作軸の保持手段と、消火位置で前記操作軸の往復動を許容し回動を阻止する係止手段と、前記操作軸を消火位置方向に付勢する付勢手段とを備えたガスコックの操作機構において、
前記係止手段は、前記操作軸と溝を隔てて平行的に一体鋳造された突起部と、前記保持手段に設けられ前記突起部に係合する係止部とからなることを特徴とするガスコックの操作機構。
【請求項２】
請求項１に記載のガスコックの操作機構において、前記操作軸は、摘みが取り付けられる前端部、前記保持手段により保持された中間部、径大の鍔部、および後端の作用部を有する軸部と、前記鍔部の前面に前記軸部と溝を隔てて平行的に突設された前記突起部とからなり、
前記保持手段は、前記ボディに締結されるとともに前記操作軸が挿通する挿通穴を有するベース板を備え、前記係止部は、前記ベース板に形成した凹部であることを特徴とするガスコックの操作機構。
【請求項３】
請求項１または２に記載のガスコックの操作機構において、前記弁体は火力調整用の回動弁体とガス流路を開閉する前後動ロッドとからなり、前記作用部は、矩形断面を有するとともに前記回動弁体の端部に設けた直径溝に嵌合し、前記作用部の端面に前後動ロッドが当接することを特徴とするガスコックの操作機構。
【請求項４】
請求項１〜３のいずれかに記載の操作軸であり、亜鉛ダイキャストまたはアルミニウムダイキャストで製造され、前記中間部に対し前記前端部を径小に形成したことを特徴とする操作軸。
【発明の詳細な説明】
【０００１】
【発明の属する技術分野】
この発明は、ガス機器のガスコックを操作する操作機構の機構の簡素化および操作軸の製造コストの低減にかかわる。
【０００２】
【従来の技術】
ガスこんろ等に装着されるガスコックは、内部にガス流路が形成され、開閉弁、火力調整弁などが組み込まれているコックボディを備える。このコックボディには、前面開口から内部に差し込まれた操作軸、および該操作軸を軸方向往復動（前後動）および回動自在に保持する保持手段からなる操作機構が締結され、ガスコックアッセンブリーが構成される。
【０００３】
操作軸は、金属材の切削、鍛造、または鍛造と切削の組み合わせにより製造されていた。この操作軸は、ガスの消火位置では回動を阻止する係止手段により回動を阻止され、操作軸を押し込む操作により係止手段が解除し回動する構造の物が一般的である。従来の係止手段は、保持手段に形成した操作軸を保持する保持穴に軸方向のスリットを形成し、操作軸の外面に設けた軸方向の短い凸条を係合させ操作軸の回動を阻止する構成であった。
【０００４】
【発明が解決しようとする課題】
操作軸は、切削または鍛造で製造すると加工に手間がかかり、複雑で機能的な構造に成形するには加工コストが高くなる問題があった。また、簡単な構造の操作軸を使用すると、ガス機器の点火、消火、火力調節に必要な機能を得るために部品数が増大し、組付工数の増加および操作性を確保するための各部品の組付寸法の精度の維持が面倒になる。
【０００５】
この発明の目的は、切削または鍛造で形成すると製造コストが増大する複雑で機能的な構造の操作軸を鋳造によって安価に製造するとともに、操作機構に使用する部品点数が低減できるガスコックの操作機構を提供することにある。
請求項４に記載の発明の目的は、折損した際の安全性を向上させた操作軸の提供にある。
【０００６】
【課題を解決するための手段】
この発明は、開口を有し内部に弁体が組み込まれているガスコックのボディと、前記開口からボディ内に差し込まれて前記弁体を動作させるガスコックの操作軸と、前記ボディに取り付けられるとともに前記操作軸を軸方向に往復動可能でかつ軸回りに回動可能に保持する操作軸の保持手段と、消火位置で前記操作軸の往復動を許容し回動を阻止する係止手段と、前記操作軸を消火位置方向に付勢する付勢手段とを備えたガスコックの操作機構において、
前記係止手段は、前記操作軸と溝を隔てて平行的に一体鋳造された突起部と、前記保持手段に設けられ前記突起部に係合する係止部とからなることを特徴とする。
【０００７】
【発明の作用効果】
この発明では、切削または鍛造で形成すると製造コストが増大する操作軸と溝を隔てて形成された突起部を一体鋳造して形成しているので、複雑で機能的な構造の操作軸を安価に製造できる。また、この操作軸を用いると、操作性が低下することなく操作機構に使用する部品点数が低減できる。この結果、ガスコックの操作機構の組み付け性が向上すると同時に組付部品間の寸法精度の維持が容易となる。
【０００８】
請求項２に記載の発明では、鍔部に軸部から離れた位置に軸部と平行する突起部を設け、保持手段のベース板に穴などの凹部による係止部を形成している。係止手段は、消火位置で突起部がバネなど付勢手段の作用で係止部に係合して操作軸の回動を阻止する。突起部とベース板に形成した凹部との嵌合による係止手段は、回転半径が大きくとれるとともに、突起部および凹部の形状、寸法を自由に設定できる利点がある。
【０００９】
請求項３に記載の発明では、弁体は火力調整用の回動弁体とガス流路開閉用の前後動ロッドとを有し、操作軸の作用部は、矩形断面で回動弁体の端部に設けた直径溝に嵌合する。また、操作軸の端面に前後動ロッドが当接する。これにより、弁体と操作軸との連動性および耐久性に優れたガスコックの操作機構が得られる。
【００１０】
請求項４に記載の発明では、操作軸を亜鉛ダイキャストまたはアルミニウムダイキャストで製造し、保持手段により保持される中間部に対し、摘みが取付けられる先端部を径小に形成している。このため、摘みに過大な負荷が加わったり、経時的に強度劣化が生じた際にも、折損は径小の摘み取付け部で選択的に生じる。この結果、ガスコックの機構の内部で折損した際に生じるトラブルに比較し、安全性が高い。
【００１１】
【発明の実施の形態】
図１、図２は、この発明のガスコックの操作機構１を示し、コック本体２に組み付けられて、図４、図５に示す如く、ガスこんろのガスコック組立部品（アッセンブリー）を構成する。操作機構１は、操作軸３、該操作軸３をコック本体２に取り付けるための操作軸３の保持手段１０とからなる。保持手段１０は、ネジで同時にコック本体２に締結されたベース板４および操作軸ガイド５を備える。
【００１２】
コック本体２は、前面開口２１を有する中空の主胴部を備えたコックボディ２０、該コックボディ２０の前面開口２１から奥部に差し込まれる略円筒状の回動弁体６、該回動弁体６内に差し込まれ軸方向に往復動（前後動）する弁体としてのロッド７を有する。回動弁体６とロッド７との間には、Ｏリング２２、Ｏリングスペーサー２３、Ｏリング２４、Ｏリング押さえワッシャー２５、ロッドリターンスプリング２６が介装されている。
【００１３】
コックボディ２０には、ガスバーナへのガス流出管１１、パイロットバーナへの連絡管１２、ガス供給源であるマニホールド管１３を接続するためのガス管接続部１４が一体に成型されている。回動弁体６は、前端に直径溝６１が形成されており、回動することにより弁開度が増減してガスバーナの火力調整を行う。ロッド７は、前方に位置したときガス流路を閉じ、後方に位置したときガス流路を開く開閉弁を構成している。
【００１４】
図３に示す如く、操作軸３は、亜鉛またはアルミニウムのダイキャスト等の鋳造によって形成され、回動中心を有する軸部３０と該軸部３０に平行して一体鋳造された突起部３１とを備えている。軸部３０は、丸棒状の前端部３２、径大で丸棒状の中間部３３、鍔部３４、および後端で矩形断面を有する後端の作用部３５からなる。前端部３２および中間部３３には、摘み１５および後記する点火レバー８５を駆動可能に取り付けるための平面３６が設けられている。
【００１５】
鍔部３４の一方に展長された展長部３Ａには、溝３７を隔てて前方に突き出した突起部３１が形成されている。突起部３１は、軸部３０の中心と同軸を有する筒面に略沿った略矩形の断面を有し、先端面は平面３Ｂとなっている。この溝３７を隔てて軸部３０と平行した突起部３１は、切削加工または鍛造で形成すると、加工工程が増大して製造コストが高くなる。この発明では、鋳造により操作軸３を一体形成しているので低コストに量産できる。
【００１６】
また、操作軸３の鋳造の材料として亜鉛またはアルミニウムを使用すると、材料費が安価であるとともに、製品が軽量となる利点がある。操作軸３の作用部３５は、軸対象で矩形の断面形状を有し、端面に台形切り欠き状の切り欠き３８が形成されている。切り欠き３８の両側部分は、回動弁体６の直径溝６１に係合され、切り欠き３８の底面は、ロッド７の当接面となっている。切り欠き３８が、Ｕ字形の切り欠きであってもよく、円錐台状の穴であってもよい。
【００１７】
コックボディ２０の前部には作用部３５が差し込まれ、操作軸３の鍔部３４との間にリターンスプリング２７が配設されている。操作軸３の中間部３３は、保持手段１０により保持され、操作軸３の前端部３２には摘み１５が取り付けられている。摘み１５の操作により操作軸３が前後および回動方向に作動し、回動弁体６が回動し、ロッド７が軸方向に往復動（前後動）する。
【００１８】
コックボディ２０の前面開口２１の周囲は、操作機構１の締結面２Ａとなっており、左右両側に略菱形状に突き出した突出し部にはネジ穴２Ｂ、２Ｂが形成されている。ベース板４は、操作軸３が挿通する挿通穴４１、および該挿通穴４１に左右両側でネジ穴２Ｂ、２Ｂに対応したボルト穴４２、４２が形成されている。挿通穴４１の斜め下方には、前記突起部３１とともに操作軸３の回動を係止する係止手段４０を構成する係止部として、突起部３１が嵌まり込む寸法の矩形穴からなる凹所４３が形成されている。
【００１９】
係止部としての凹所４３は、挿通穴４１から溝３７の幅と同一距離だけ隔て、形成され、かつ操作軸３と同一中心を有する円周方向に沿った略矩形の打抜き穴となっており、図の実施例では外側縁が円弧状に膨出して平面形状を呈する。係止手段４０は、ガスこんろが消火状態にあるとき、図１に示す如く、操作軸３は前後動範囲内の前端に位置し、突起部３１は凹所４３に嵌まり込んで回動が阻止されている。
【００２０】
ボルト穴４２、４２の外側には、矩形の切り欠きにより形成した被係止部４４、４４が形成されている。操作軸ガイド５は、所定形状にプレス成型された帯状の鉄板を略冂型に折り曲げて形成され、操作軸３を保持する保持穴５１を有する保持部５２、該保持部５２の左右の両端から直角に折り曲げた脚部５３、５３を有する。脚部５３、５３の先端には、外側に直角に折り曲げて形成されベース板４の表面に当接する足板部５４、５４が設けられている。
【００２１】
保持部５２の保持穴５１の両側には、ガスこんろのハウジングの前板に裏面から操作軸ガイド５を締結するための締結穴５５、５５が形成されている。足板部５４、５４には、ボルト穴４２、４２に対応してボルト穴５６、５６が開けられ、外側端には被係止部４４、４４に対応して直角に折り曲げた係止爪部５７、５７が形成されている。
【００２２】
ベース板４の上部には横長で略矩形の点火装置取付穴８０が設けられ、圧電素子８１、ハンマー８２、ハンマースプリング８３が嵌め込まれ、操作軸３に装着され、押さえスプリング８４により基部がベース板４の表面に押圧されている点火レバー８５によって作動する点火装置８が取付けられている。
【００２３】
ベース板４および操作軸ガイド５は、被係止部４４、４４に係止爪部５７、５７を係合させてサブアッセンブリーを形成し、つづいて、ボルト１６、１６をボルト穴４２、４２およびボルト穴５６、５６を通してネジ穴２Ｂ、２Ｂに締結することにより、コックボディ２０の締結面２Ａに締結される。
【００２４】
ガスこんろの不使用時には、図１に示す如く、操作軸３は前後動範囲の前端に位置し、凹所４３に突起部３１が嵌まり込んでいる。ガスに点火するため、摘み１５を押すと、操作軸３は、図２に示す如く、前後動範囲の後端位置に変位し、凹所４３から突起部３１が外れ、係止手段４０の係合が解除する。操作軸３の後方への変位に連動してロッド７が後方に押されてガス流路は開弁する。
【００２５】
これにより操作軸３は回動可能となり、摘み１５を回動操作すると、点火装置８が作動するとともに、回動弁体６が回動して弁開度（ガスの火力）の調節がなされる。この状態では、突起部３１の前端面が、ベース板４の裏面に当接して摺動している。
【００２６】
ガスこんろを消火する操作は、摘み１５を元の位置に回動するとリターンスプリング２７の作用でロッド７は前端に復帰してガス流路は閉弁する。つづいて、リターンスプリング２７の作用で操作軸３は前方に移動し、突起部３１が凹所４３に嵌まり込み、図１に示す元の状態に戻る。
【００２７】
係止手段４０は、突起部３１を鍔部３４の前面に２個以上形成し、ベース板４に複数の凹所を設けて構成であってもよい。
【図面の簡単な説明】
【図１】操作軸と操作軸保持手段の斜視図である。
【図２】操作軸と操作軸保持手段の斜視図である。
【図３】操作軸の斜視図である。
【図４】ガスコックアッセンブリーの組付図である。
【図５】ガスコックアッセンブリーの斜視図である。
【符号の説明】
１    ガスコックの操作機構
１５  摘み
２    コック本体
２０  コックボディ
２１  前面開口
３    操作軸
２７  リターンスプリング（付勢手段）
３０  軸部
３１  突起部
３２  前端部
３３  中間部
３４  鍔部
３５  作用部
３７  溝
３８  切り欠き
４    ベース板
４０  係止手段
４１  挿通穴
４３  係止部（凹部）
５    操作軸ガイド
６    回動弁体（弁体）
６１  直径溝
７    ロッド（弁体）
１０  操作軸の保持手段
【図１】
0003665256.tif 000002
【図２】
0003665256.tif 000003
【図３】
0003665256.tif 000004
【図４】
0003665256.tif 000005
【図５】
0003665256.tif 000006